【手続補正書】
【提出日】平成19年10月30日(2007.10.30)
【手続補正１】
【補正対象書類名】明細書
【補正対象項目名】特許請求の範囲
【補正方法】変更
【補正の内容】
【特許請求の範囲】
【請求項１】 対向する第１の端部(64)と第２の端部(66)を有するフィルタエレメント(52)を備えるフィルタ構成であって、
前記フィルタエレメントは複数の流路(124)を具備する縦溝流路媒体を含み、前記流路は、前記フィルタエレメントの第１の端部(64)に隣接した第１の端部部位と、前記フィルタエレメントの第２の端部(66)に隣接した第２の端部部位とを有し、前記流路(124)から選ばれた流路(136)は、前記第１の端部部位で開口し、前記第２の端部部位で閉じ、また、前記流路(124)から選ばれた前記流路(134)は、前記第１の端部部位で閉じ、前記第２の端部部位で開口し、前記第２の端部(66)に隣接して、前記フィルタエレメント(52)に固定されるフレーム構造(72)とを備え、
（ａ）前記フィルタエレメント(52)を通過するように延設され、中心コアとなる板部材(232)であって、前記板部材は、
(ｉ)  対向する第１の端部と第２の端部(236、238)と、
(ｉｉ)  前記第１の端部と第２の端部(236、238)との間で延設される第１と第２の側縁(242、244)と、
(ｉｉｉ）前記板部材(232)の前記第１の端部(236)に形成されるハンドル部材と、を備え、前記ハンドル部材は、
（Ａ）  前記フィルタエレメント(52)の前記第１の端部(64)から軸方向に延設される第１の突起(290)と、
（Ｂ）  前記第２の側縁(244)よりも前記第２の側縁(242)に隣接して位置される前記第１の突起(290)と、
（ｉｖ）前記第１の突起(290)の近傍の凹部(298)と、を含み、
（ｂ）前記板部材の周りに巻き付けられる前記縦溝流路媒体と、を備えることを特徴とするフィルタ構成。
【請求項２】（ａ）前記板部材は、前記第２の端部(238)における締結具部材(240)を含み、前記締結具部材が、前記フレーム構造(72)に固定されることを特徴とする請求項１に記載のフィルタ構成。
【請求項３】（ａ）前記フレーム構造(72)は、前記フィルタエレメント(52)の前記第１端部(64)と前記第２の端部（66)のいずれかから軸方向に少なくとも一部が突出する支持支柱(214)を含み、
（ｂ）前記締結具部材(240)は、前記支持支柱(214)に係合する１組のフック((252、254)を含み、
（ｃ）前記フレーム構造(72)は、前記第１の端部(64)と前記第２の端部（66)のいずれかから軸方向に突出する延設部(184)を含み、
(ｉ)  前記フレーム構造(72)の前記延設部(184)は、シール部材(74)を支持し、
（ｄ）前記延設部(184)は、内部(188)と、外部(190)と、端部(192)と、を含み、
（ｅ）前記シール部材(74)は、０．１３５〜０．２７Ｋｇ／ｍ3（１１〜２２ポンド／フィート3 ）の密度で成型されるポリウレタン製であり、
(ｉ)  前記シール部材(74)は、前記延設部(184)の前記外部(190)と、前記内部(188)と、前記端部(192)とを少なくとも覆う、
ことを特徴とする請求項２に記載のフィルタ構成。
【請求項４】
（ａ）前記板部材(232)は、中心のコア部材(230)を備え、前記コア部材(230)は、複数の波形部(312)を含み、前記波形部(312)は前記流路(124)の少なくともいくつかに合致して係合し、
（ｂ）前記ハンドル部材は、前記コア部材(230)により規定される少なくとも一つの開口(292)を具備し、
（ｃ） 前記板部材(232)は、前記フィルタエレメント(52)の前記第１の端部(64)から軸方向に延設される第２の突起(294)をさらに含み、
(ｉ)  前記第２の突起(294)は、前記第１の突起(290)と前記第２の側縁(244)との間に位置し、
(ｉｉ)  前記凹部(298)は、前記第１の突起(290)と前記第２の突起(294)との間に延設されることを特徴とする請求項１乃至３のいずれか１項に記載のフィルタ構成。
【請求項５】  （ａ）前記凹部(298)は、前記板部材(232)の前記第１の端部(236)に沿う直線区分(300)をなし、
（ｂ）前記第１の突起(290)は、前記第１の側縁(242)の直ぐ近くに位置し、
（ｃ）前記第２の突起(294)は、前記第２の側縁(244)の直ぐ近くに位置する、
ことを特徴とする請求項４に記載のフィルタ構成。
【請求項６】  エアークリーナ(50)の点検方法であって、
ハウジング(51)内に設置される請求項１のフィルタエレメント(52)を提供するために、
（ａ）前記ハンドル部材（70)を掴む工程と、
（ｂ）前記ハンドル部材(70)を引き抜くことで、前記フィルタエレメント(52)を前記ハウジング(51)から取り除く工程と、
（ｃ）請求項１の２番目のフィルタエレメント(52)を提供し、前記２番目のフィルタエレメントは、フレーム構造（72）と、前記ハンドル部材と、第１の突起(290)と、軸方向の突起(290)に近接した凹部(298)とを有し、
（ｄ）前記２番目のフィルタエレメント(52)を、前記ハウジング(51)内に位置させる工程と、
（ｅ）前記凹部(298)に支柱部材(87)を配置する工程とを含み、前記支柱部材は前記ハウジング内の突起（90）を備えることを特徴とするエアークリーナの点検方法。
【請求項７】（ａ）前記ハウジング(51)は、ボディー部材(80)とカバー(82)とを含むとともに、
（ｂ）  前記凹部に支柱部材(87)を配置する工程は、前記カバー(82)を前記ボディー部材(80)の上に置くとともに、前記支柱部材(87)は、前記カバー(82)から延設される突起部(90)を含む、ことを特徴とする請求項６に記載のエアークリーナの点検方法。
【請求項８】（ａ）前記第２番目のフィルタエレメント(52)と前記ハウジング(51)の間にシール(76)を形成する工程を、さらに含むことを特徴とする請求項６または７に記載のエアークリーナの点検方法。
【請求項９】（ａ）前記シール(76)を形成する工程は、前記第２番目のフィルタエレメント(52)と前記ハウジング(51)の間に半径方向のシール(76)を形成することを特徴とする請求項８に記載のエアークリーナの点検方法。
【請求項１０】  フィルタエレメント(52)の製造方法であって、
（ａ）対向する第１の端部と第２の端部(236,238)と、前記第１の端部と前記第２の端部との間に少なくとも一部が位置する波形領域(310)とを備えたセンター板(232)を供給し、  （ｂ）前記波形領域(310)に対して選ばれた流路濾過媒体(122)の流路(124)を揃え、
（ｃ）前記流路濾過過媒体(122)を、前記センター板(232)の回りに巻きつける、以上の工程を備えることを特徴とするフィルタエレメントの製造方法。
【請求項１１】（ａ）前記流路濾過媒体を、前記センター板の回りに巻きつける工程の後に、前記センター板(232)をフレーム構造(72)に固定することをさらに含むことを特徴とする請求項１０に記載のフィルタエレメントの製造方法。
【請求項１２】  (ａ)前記センター板(232)をフレーム構造(72)に固定する工程は、前記フレーム構造（72）上の支持支柱（214）に対して前記センター板のフック（252,254）を係合する工程を含むことを特徴とする請求項１１に記載のフィルタエレメントの製造方法。
【請求項１３】（ａ）前記センター板(232)を提供する工程は、前記センター板として、
(ｉ)  ハンドル部材(70)が、第１の端部(236)を形成し、
（ｉｉ) 締結具部材(240)は、第２の端部(238)を形成し、
（Ａ）前記締結具部材(240)は、フック構成(250)を含み、
（ｂ）前記センター板(232)をフレーム構成(72)に固定する工程は、前記フック構成(250)を少なくとも一つの支持支柱(214)に係合することを含むことを特徴とする請求項１０に記載のフィルタエレメントの製造方法。
【請求項１４】  エアクリーナ内で使用するために交換可能かつ置換可能に設けられるエアーフィルタエレメントであって、
(ａ)対向する第１の端部と第２の端部と、前記第１の端部と前記第２の端部の間に延設される第１の縁部と第２の縁部とを有する延設部を含むセンター板と、
(ｂ)前記センター板の周りに配置され、かつ固定される濾過媒体であって、
（ｉ）  前記濾過媒体は、直線的な流路を構成するために、第２の縦溝濾過シートに固定される第１の縦溝濾過シートを前記センター板の周りに巻き付けたコイル状媒体構成を有し、入口端部と、これに対向した出口端部とを有し、前記入口端部と前記出口端部の間に延設される複数の流路を備え、前記流路の夫々は隣接した第１の端部部位と、第２の端部部位とを有し、前記流路から選ばれた流路は、前記入口端部の近くの前記第１の端部部位で開口し、前記出口端部の近くの前記第２の端部部位で閉じ、また、前記流路から選ばれた前記流路は、前記前記入口端部の近くの第１の端部部位で閉じ、前記出口端部の近くの前記第２の端部部位で開口し、
（ｉｉ）前記濾過媒体と前記センター板は、対向する円弧端部を有する非円形の横断面形状を有するフィルタエレメントを形成し、
（ｉｉｉ）前記フィルタエレメントは、前記濾過媒体を通過する流路で濾過される前の空気を通過させないように閉じられており、
（ｃ）使用において、前記フィルタエレメントとエアクリーナハウジングとの間をシールする位置に配置されるシール部材と、
（ｄ）  前記シール部材を前記エアクリーナハウジングに圧縮する環状シール支持部を具備するフレーム構成であって、前記フレーム構成は前記センター板と係合するように構成され、
（ｅ）前記センター板と前記フレーム構成に固定されるハンドル部材であって、前記ハンドル部材は前記フィルタエレメントに引き抜き力を伝達することを特徴とするエアーフィルタエレメント。
【請求項１５】  (ａ)  前記ハンドル部材は、少なくとも一つの開口部を具備することを特徴とする請求項１４に記載のエアーフィルタエレメント。
【請求項１６】  (ａ)  前記シール部材は、環状の半径方向シールを形成するように配置されることを特徴とする請求項１４に記載のエアーフィルタエレメント。
【請求項１７】  請求項１４に記載のエアクリーナ内で使用するために交換可能かつ置換可能に設けられるエアーフィルタエレメントであって、
（ａ）  内部と開口端部とを形成したボデー部材を有するハウジングと、
（ｂ）  請求項１４のフィルタエレメントは前記内部に交換可能に配置され、前記ハウジング内でシールされることを特徴とするエアーフィルタエレメント。
【請求項１８】  (ａ)  前記シール部材は、前記ハウジングの部位に対して環状の半径方向シールを提供するように配置されることを特徴とするエアーフィルタエレメント。